(57)【要約】      （修正有）【課題】見た目がよく、日持ちもし、取り外しやすく、カーブを付けやすく、さらに自爪を従来の技術よりも保護し、また施術時間の短縮を可能とする。【解決手段】ＭＩＸネイルの技法と指定した材料を使用することによって、従来の二通りの技術よりも、見た目がよく、日持ちもし、取り外しやすく、カーブを形成しやすく、さらに自爪の保護強度のアップが可能となる。このＭＩＸネイルはそのような従来の二つの技術の長所部分を併せ持ち、取り付けやすさや取り付け後のケアのしやすさをより易しく便利にした技術である。【選択図】図１
2009195666.tif 000002
【特許請求の範囲】
【請求項１】
人工的に爪の長さを付け足す技術であるアクリルスカルプチュアとジェルスカルプチュアの二つの利点を融合させた技術。
【請求項２】
前記技術は、従来の二つの技術より見た目、持ちのよさ、施術時間の短縮、自爪の保護に優れていることを特徴とする請求項１記載の技術。
【発明の詳細な説明】
【技術分野】
【０００１】  この発明は、爪の長さを人工的に付け足す技術に関する。
【背景技術】
【０００２】  従来のネイル技術では、爪の長さを人工的に延ばす際、アクリルパウダーと呼ばれるメタアクリル酸メチルの重合体とアクリルリキッドと呼ばれるアクリル樹脂の液体を混合させたミクスチャーと呼ばれる材料を用いてアクリルスカルプチュアを作成するか、紫外線Ａ波に反応する液体を使用してジェルスカルプチュアを作成する方法を用いている。しかし従来の方法では、見た目や施術時間に関して、取り付ける際と取り付けた後の利便性がこれら二つの方法において各々メリットとデメリットが存在する。このＭＩＸネイルはそのような従来の二つの技術と比較して、取り付けやすさや取り付け後のケアのしやすさを簡単にした技術である。
【発明の開示】
【発明が解決しようとする課題】
【０００３】しかしながら、従来のスカルプチュア作成技術であるジェルスカルプチュア及びアクリルスカルプチュアといった技術では、見た目、日持ち、取り外しやすさ、カーブの付け方、自爪の保護という点において、ジェルスカルプチュアでは日持ちはよいがカーブを作成しづらく取り外しに時間がかかり、アクリルネイルではカーブを付けやすく外しやすいけれども、日持ちがしないという難点があった。
そこで、この発明は、見た目がよく、日持ちもし、取り外しやすく、カーブを付けやすく、さらに自爪を従来の技術よりも保護し、また施術時間の短縮を可能とすることを課題とする。
【課題を解決するための手段】
【０００４】  以上の課題を解決するために、第一発明は、材料である。クリアジェルと呼ばれる、メタクリレート、コポリマー、ソトイニシエーター、の三つの液体を主成分とした混合物であるジェル状の物質を使用することを特徴とする技術である。
また、第二発明は、技術である。フォームと呼ばれる型を指に装着し（図１−１）、メタアクリル酸メチルの重合体（アクリルパウダー）とアクリル樹脂の液体（アクリルリキッド）を混合させたミクスチャーと呼ばれる液体を用いて、筆を使用してフォームにのせ長さを決めて形を作り、Ｃ状のカーブを形成することを特徴とする技術である。
【発明の効果】
【０００５】  第一発明、または第二発明によれば、この材料と技術を利用することで、見た目がよく、日持ちもし、取り外しやすく、カーブを付けやすく、さらに自爪を従来の技術よりも保護し、また施術時間の短縮が可能となる。
【発明を実施するための最良の形態】
【０００６】  この発明の一実施形態を、図１から図４に示す。
▲１▼まず自爪全体（図２−２）を、ファイルと呼ばれる爪用のやすりを用いてサンディングする。サンディングとはファイルであまり力をかけずにまんべんなく擦る技術である。これを行うことにより爪全体に細かい傷を付け、次に塗布する液体を浸透しやすくする。また、自爪部分の油膜や甘皮などの除去も出来る。
▲２▼次に、自爪全体（図２−２）にクリアジェルと呼ばれる、メタクリレート、コポリマー、ソトイニシエーターの３種類の液体を主成分とした混合物を塗布し、３６ワットの紫外線Ａ波を２分間あてて硬化させる。
▲３▼自爪全体の表面に残った未硬化状態の前記クリアジェルをアルコールを用いてふき取り、バフと呼ばれる目の粗いスポンジの１８０〜２２０グリットを使用して、バッフィングを行う。バッフィングとは前記バフを使用して擦る作業である。バッフィングは爪全体にまんべんなく行う。これにより爪全体に伸びたクリアジェルの表面に細かい傷を作り、次に塗布する液体を浸透しやすくさせる。グリットとは目の粗さの単位である。
▲４▼フォームを指に装着する（図１）。次にアクリルパウダーと呼ばれるメタアクリル酸メチルの重合体と、リキッドと呼ばれるアクリル樹脂の液体を混合させたミクスチャーと呼ばれる混合物を筆に取り、フォームに乗せて長さを決めて形を形成する。
▲５▼フォームと自爪の連結部分から、前記ミクスチャーを自爪の先から付け根部分まで測って約３分の１の位置に置き（図３−３）、先まで伸ばしなじませる。
▲６▼次に形成した人工爪の両端を押さえ、力を加える（図４）。この技術はピンチングと呼ばれ、Ｃ状のカーブを形成するとともに、自爪とアクリルの密着度を高める。
▲７▼１５０〜２２０グリットのファイルを使用して、不要な部分を削り取り、全体の形を整える。
▲８▼前記▲７▼の作業で出た細かいダストと呼ばれる塵を除去する。
▲９▼前記クリアジェルを爪のキューティクル部分（図２−４）から全体に覆いかぶせるように塗布し、続けて３６ワットの紫外線Ａ波を２分間あてて硬化させる。
▲１０▼未硬化状態の前記クリアジェルをポリッシュリムーバーと呼ばれるアセトンを主成分とする液体で拭き取る。【０００７】「実施形態の効果」
この実施形態によれば、２０人の被験者に同じ条件で実験したところ、見た目が最も美しいものを選択させた際に、５５％の被験者がＭＩＸネイルを選択した。ちなみにジェルスカルプチュアは２５％、アクリルスカルプチュアは２０％の結果であった。また日持ちは、ＭＩＸネイルが平均２１日、ジェルスカルプチュアは同じく平均２１日だが、アクリルスカルプチュアは平均１６日であった。さらに外す際に要する時間は、ＭＩＸネイルは２０分、ジェルスカルプチュアは２０分、アクリルスカルプチュア４５分であった。また、ピンチと呼ばれるＣ状のカーブの付けやすさは、ＭＩＸネイル、アクリルスカルプチュアが形成しやすいのに対して、ジェルスカルプチュアではほぼできないという結果であった。施術時間はジェルスカルプチュア、アクリルスカルプチュアが平均１２０分という中、ＭＩＸネイルは平均１１０分であった。このように、従来の人工爪形成方法であるジェルスカルプチュアとアクリルスカルプチュアに比べ、ＭＩＸネイルは両方の利点を持つ、優れた技術であるとわかった。
【図面の簡単な説明】
【０００８】
【図１】この発明の一実施形態を示す側面図である。
【図２】この発明の一実施形態を示す平面図である。
【図３】この発明の一実施形態を示す側面図である。
【図４】この発明の一実施形態を示す平面図である。
【符号の説明】
【０００９】１フォームとその取り付け位置    ２爪全体とキューティクル部分
３ミクスチャーを置く位置    ４ピンチングの際に力をかける方向
【図１】
2009195666.tif 000003
【図２】
2009195666.tif 000004
【図３】
2009195666.tif 000005
【図４】
2009195666.tif 000006